【手続補正書】
【提出日】令和1年7月25日(2019.7.25)
【手続補正１】
【補正対象書類名】特許請求の範囲
【補正対象項目名】全文
【補正方法】変更
【補正の内容】
【特許請求の範囲】
【請求項１】
被読み取り物を読み取ることで画像データを取得する読み取り部と、
第１の位置にある前記読み取り部によって読み取られる原稿が載置される原稿台と、
前記原稿台上に原稿がない場合に、前記第１の位置にある前記読み取り部に読み取られる第１部材と、
前記第１の位置と異なる第２の位置にある前記読み取り部によって読み取られる第２部材と、を備える読み取り装置であって、
前記読み取り部が前記被読み取り物を読み取ることで、前記被読み取り物に応じた出力を取得する取得手段と、
前記読み取り部が前記第１の位置で前記被読み取り物を読み取ることで取得される第１の出力と、前記読み取り部が前記第２の位置で前記被読み取り物を読み取ることで取得される第２の出力と、に基づいて、前記原稿台に前記原稿が載置されているか否かを判定するための判定処理を実行する判定手段と、を有することを特徴とする読み取り装置。
【請求項２】
前記第１の出力に応じた値と前記第２の出力に応じた値の差が所定の閾値以下でない場合に、前記原稿台に原稿が載置されていると判定され、前記第１の出力に応じた値と前記第２の出力に応じた値の差が所定の閾値以下である場合に、前記原稿台に原稿が載置されていないと判定されることを特徴とする請求項１に記載の読み取り装置。
【請求項３】
前記第１の出力に応じた値と前記第２の出力に応じた値は複数の値を有し、
前記第１の出力に応じた値のうちの第１の値と前記第２の出力に応じた値のうちの第２の値との差が所定の閾値以下の場合又は、前記第１の出力に応じた値のうちの第３の値と前記第２の出力に応じた値のうちの第４の値との差が所定の閾値以下の場合に、前記原稿台に原稿が載置されていないと判定され、前記第１の値と前記第２の値との差が所定の閾値より大きい場合又は、前記第３の値と前記第４の値との差が所定の閾値より大きい場合に、前記原稿台に原稿が載置されていると判定されることを特徴とする請求項１又は２に記載の読み取り装置。
【請求項４】
前記第１の値は、前記第１の出力に応じた値のうちの最大値であり、
前記第２の値は、前記第２の出力に応じた値のうちの最大値であり、
前記第３の値は、前記第１の出力に応じた値のうちの最小値であり、
前記第４の値は、前記第２の出力に応じた値のうちの最小値であることを特徴とする請求項３に記載の読み取り装置。
【請求項５】
前記読み取り部が走査されながら、前記原稿台上に位置する前記被読み取り物における複数ラインが読み取られることで、複数の前記第１の出力が得られ、
前記第２の出力に応じた値との差が所定の閾値以下である前記第１の出力に応じた値が所定の数のライン分続かない場合に、前記原稿台に原稿が載置されていないと判定され、前記第２の出力に応じた値との差が所定の閾値以下である前記第１の出力に応じた値が所定の数のライン分続いた場合に、前記原稿台に原稿が載置されていると判定される請求項１乃至４のいずれか１項に記載の読み取り装置。
【請求項６】
前記第２部材は、前記読み取り部による前記被読み取り部材の読み取りによって得られる画像データの補正に用いられる補正データを取得するための基準部材であり、
前記第２の出力に基づいて、前記画像データをシェーディング補正するためのシェーディング補正データが取得されることを特徴とする請求項１乃至５のいずれか１項に記載の読み取り装置。
【請求項７】
前記第２の出力は、前記読み取り部が走査されながら、前記第２部材における複数のラインが読み取られることで得られた出力値の平均であることを特徴とする請求項１乃至６のいずれか１項に記載の読み取り装置。
【請求項８】
前記第１部材は、前記読み取り装置が備える原稿台カバーに設置されており、
前記原稿台カバーが、前記原稿台を覆う閉じ位置に位置する場合に、前記第１部材が、前記原稿台上に位置するように構成されることを特徴とする請求項１乃至７のいずれか１項に記載の読み取り装置。
【請求項９】
前記判定処理が行われた後、前記原稿にかかわる通知を実行する通知手段をさらに有し、
前記判定処理によって前記原稿台に前記原稿が載置されていないと判定された場合、前記通知が実行されないことを特徴とする請求項１乃至８のいずれか１項に記載の読み取り装置。
【請求項１０】
前記読み取り部による前記被読み取り物の読み取りが完了した後、原稿台カバーが、前記原稿台を覆う閉じ位置から移動したか否かを判定するための開閉判定処理を実行するための開閉判定手段をさらに有し、
前記原稿台に前記原稿が載置されていると判定され、且つ前記原稿台カバーが前記閉じ位置から移動していないと判定された場合、前記通知が実行され、前記原稿台に前記原稿が載置されていると判定され、且つ前記原稿台カバーが前記閉じ位置から移動したと判定された場合、又は前記原稿台に前記原稿が載置されていないと判定された場合、前記通知が実行されないことを特徴とする請求項９に記載の読み取り装置。
【請求項１１】
前記開閉判定手段は、前記判定処理によって前記原稿台に前記原稿が載置されていると判定された場合に、前記開閉判定処理を実行し、前記判定処理によって前記原稿台に前記原稿が載置されていないと判定された場合に、前記開閉判定処理を実行しないことを特徴とする請求項１０に記載の読み取り装置。
【請求項１２】
前記原稿台上に位置する前記被読み取り物が読み取られた後、所定時間が経過する毎に、前記開閉判定処理が実行されることを特徴とする請求項１０又は１１に記載の読み取り装置。
【請求項１３】
前記原稿台上に位置する前記被読み取り物の前記読み取り部による読み取りが完了した後の第１のタイミングで、所定の位置における前記読み取り部による読み取りによって取得される第３の出力と、前記所定の位置における前記被読み取り物が、前記第１のタイミングと異なる第２のタイミングで前記読み取り部によって読み取られることで取得される第４の出力と、に基づいて、前記原稿台カバーが前記閉じ位置から移動したか否かが判定されることを特徴とする請求項１０乃至１２のいずれか１項に記載の読み取り装置。
【請求項１４】
前記第３の出力に応じた値と、前記第４の出力に応じた値との差が所定の閾値以下であり、且つ前記原稿台に原稿が載置されていると判定された場合に、前記通知が実行されず、前記第３の出力に応じた値と前記第４の出力に応じた値と差が前記所定の閾値以下でなく、且つ前記原稿台に原稿が載置されていると判定された場合に、前記通知が実行されることを特徴とする請求項１３に記載の読み取り装置。
【請求項１５】
前記第３の出力に応じた値と前記第４の出力に応じた値は複数の値を有し、
前記第３の出力に応じた値のうちの第５の値と前記第４の出力に応じた値のうちの第６の値との差が所定の閾値以下の場合又は、前記第３の出力に応じた値のうちの前記第５の値と異なる第７の値と前記第４の出力に応じた値のうちの前記第６の値と異なる第８の値との差が所定の閾値以下の場合に、前記原稿台カバーが前記閉じ位置から移動していないと判定され、前記第５の値と前記第６の値との差が所定の閾値より大きい場合又は、前記第７の値と前記第８の値との差が所定の閾値より大きい場合に、前記原稿台カバーが前記閉じ位置から移動したと判定されることを特徴とする請求項１３に記載の読み取り装置。
【請求項１６】
前記第５の値は、前記第３の出力に応じた値のうちの最大値であり、
前記第６の値は、前記第４の出力に応じた値のうちの最大値であり、
前記第７の値は、前記第３の出力に応じた値のうちの最小値であり、
前記第８の値は、前記第４の出力に応じた値のうちの最小値であることを特徴とする請求項１５に記載の読み取り装置。
【請求項１７】
前記原稿台カバーの開閉状態を検知するための開閉検知部による検知結果に基づいて、前記開閉判定処理が実行されることを特徴とする請求項１０乃至１２のいずれか１項に記載の読み取り装置。
【請求項１８】
前記通知手段は、前記読み取り部によって読み取られた前記原稿を前記原稿台から取り忘れている旨を報知するための画面を表示部に表示することを特徴とする請求項９乃至１７のいずれか１項に記載の読み取り装置。
【請求項１９】
前記第１の出力に基づいて、前記被読み取り物に応じた画像データを取得する画像データ取得手段をさらに有することを特徴とする請求項１乃至１８のいずれか１項に記載の読み取り装置。
【請求項２０】
前記読み取り部による前記被読み取り物の読み取りによって生成された画像データに基づく印刷を、印刷部に実行させる印刷手段をさらに有することを特徴とする請求項１乃至１９のいずれか１項に記載の読み取り装置。
【請求項２１】
前記原稿台上に位置する前記被読み取り物を前記読み取り部に読み取らせるためのスキャンジョブを外部装置から受信する受信手段と、
前記受信手段によって受信された前記スキャンジョブを送信した外部装置に、前記スキャンジョブに基づいて生成された画像データを送信する送信手段と、を更に有することを特徴とする請求項１乃至２０のいずれか１項に記載の読み取り装置。
【請求項２２】
前記読み取り部は、コンタクトイメージセンサを含むことを特徴とする請求項１乃至２１のいずれか１項に記載の読み取り装置。
【請求項２３】
被読み取り物を読み取ることで画像データを取得する読み取り部と、
第１の位置にある前記読み取り部によって読み取られる原稿が載置される原稿台と、
前記原稿台上に原稿がない場合に、前記第１の位置にある前記読み取り部に読み取られる第１部材と、
前記第１の位置と異なる第２の位置にある前記読み取り部によって読み取られる第２部材と、を備える読み取り装置の制御方法であって、
前記読み取り部が前記被読み取り物を読み取ることで、前記被読み取り物に応じた出力を取得する取得ステップと、
前記読み取り部が前記第１の位置で前記被読み取り物を読み取ることで取得される第１の出力と、前記読み取り部が前記第２の位置で前記被読み取り物を読み取ることで取得される第２の出力と、に基づいて、前記原稿台に前記原稿が載置されているか否かを判定するための判定処理を実行する判定ステップと、を有することを特徴とする制御方法。
【手続補正２】
【補正対象書類名】明細書
【補正対象項目名】０００６
【補正方法】変更
【補正の内容】
【０００６】
上述のような課題を解決するための本発明の読み取り装置は、被読み取り物を読み取ることで画像データを取得する読み取り部と、
第１の位置にある前記読み取り部によって読み取られる原稿が載置される原稿台と、
前記原稿台上に原稿がない場合に、前記第１の位置にある前記読み取り部に読み取られる第１部材と、
前記第１の位置と異なる第２の位置にある前記読み取り部によって読み取られる第２部材と、を備える読み取り装置であって、
前記読み取り部が前記被読み取り物を読み取ることで、前記被読み取り物に応じた出力を取得する取得手段と、
前記読み取り部が前記第１の位置で前記被読み取り物を読み取ることで取得される第１の出力と、前記読み取り部が前記第２の位置で前記被読み取り物を読み取ることで取得される第２の出力と、に基づいて、前記原稿台に前記原稿が載置されているか否かを判定するための判定処理を実行する判定手段と、を有することを特徴とする。